(57)【要約】【課題】交換可能なスクリーンを用いて多くの画像コンテンツを再生させる際の管理者の負担を軽減する。【解決手段】交換可能なスクリーンの装着を検出し、検出したスクリーンの識別情報を取得するＩＣタグ読取部TRと、複数の画像データを記憶したコンテンツメモリ21と、取得したスクリーンの識別情報に基づいてコンテンツメモリ21から画像データを選択して、投影系22〜26を用いてスクリーンに画像を投影させるＣＰＵ28とを備える。【選択図】図３
2016061917.tif 000002
【特許請求の範囲】
【請求項１】
交換可能なスクリーンの装着を検出する検出手段と、
上記検出手段で検出したスクリーンの識別情報を取得する取得手段と、
上記取得手段で取得したスクリーンの識別情報に基づいた画像データを用いて上記スクリーンに画像を投影する投影手段と、
を備えることを特徴とする投影装置。
【請求項２】
複数の画像データを記憶した記憶手段をさらに備え、
上記選択手段は、上記取得手段で取得したスクリーンの識別情報に基づいて上記記憶手段から上記画像データを選択し、
上記投影手段は、上記選択手段で選択した画像データを用いて上記スクリーンに画像を投影する
ことを特徴とする請求項１記載の投影装置。
【請求項３】
上記記憶手段は、複数の形状の画像データを記憶し、
上記取得手段は、スクリーンの形状を示す識別情報を取得し、
上記選択手段は、上記取得手段で取得したスクリーンの識別情報に基づいて上記記憶手段から画像がスクリーンの範囲を外れない画像データを選択する
ことを特徴とする請求項２記載の投影装置。
【請求項４】
上記スクリーンは、識別情報を記憶した記憶媒体を有し、
上記検出手段は、上記スクリーンの装着に伴う上記記憶媒体の近接によりスクリーンの装着を検出し、
上記取得手段は、上記スクリーンの装着に伴う上記記憶媒体の近接によりスクリーンの識別情報を上記記憶媒体から読出して取得する
ことを特徴とする請求項２または３記載の投影装置。
【請求項５】
交換可能なスクリーンに、画像データを用いて画像を投影する装置での投影方法であって、
上記スクリーンの装着を検出する検出工程と、
上記検出工程で検出したスクリーンの識別情報を取得する取得工程と、
上記取得工程で取得したスクリーンの識別情報に基づいた画像データを用いて上記スクリーンに画像を投影する投影工程と、
を有したことを特徴とする投影方法。
【請求項６】
交換可能なスクリーンに、画像データを用いて画像を投影する装置が内蔵したコンピュータが実行するプログラムであって、上記コンピュータを、
上記スクリーンの装着を検出する検出手段、
上記検出手段で検出したスクリーンの識別情報を取得する取得手段、及び
上記取得手段で取得したスクリーンの識別情報に基づいた画像データを用いて上記スクリーンに画像を投影する投影手段、
として機能させることを特徴とするプログラム。
【発明の詳細な説明】
【技術分野】
【０００１】
本発明は、例えば商店の売り場に設置して各種商品の紹介を行なう装置などに好適な投影装置、投影方法及びプログラムに関する。
【背景技術】
【０００２】
閲覧者に対する印象を高めるべく、映像コンテンツをリアプロジェクション投影により人型等の非定形スクリーンに投影するようにした映像出力装置搭載機器が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めて、投影可能な領域の形状と一致しない不定型のスクリーンを交換可能に運用する場合、特にリアプロジェクション方式の投影装置では、スクリーンの形状と合致しない画像を再生すると、スクリーンを外れた光が、装置の前に位置する閲覧者に直接照射される虞がある。
【０００５】
そのため、装置の管理者は、その時点で装着されているスクリーンの形状と、投影しようとする画像コンテンツとの組合せを正しく管理する必要があり、その運用が煩雑となる。
【０００６】
この点は、画像コンテンツを記憶するメモリが大容量化し、多くの画像コンテンツを装置に記憶させることが可能となった近年で特に顕著であり、複数の画像コンテンツを連続して再生させたいような状況で、装置の管理者の負担が大きくなる不具合がある。
【０００７】
本発明は上記のような実情に鑑みてなされたもので、その目的とするところは、交換可能ななスクリーンを用いて多くの画像コンテンツを再生させる際の管理者の負担を軽減することが可能な投影装置、投影方法及びプログラムを提供することにある。
【課題を解決するための手段】
【０００８】
本発明の一態様は、交換可能なスクリーンの装着を検出する検出手段と、上記検出手段で検出したスクリーンの識別情報を取得する取得手段と、上記取得手段で取得したスクリーンの識別情報に基づいた画像データを用いて上記スクリーンに画像を投影する投影手段と、を備えることを特徴とする。
【発明の効果】
【０００９】
本発明によれば、交換可能なスクリーンを用いて多くの画像コンテンツを再生させる際の管理者の負担を軽減することが可能となる。
【図面の簡単な説明】
【００１０】
【図１】本発明の一実施形態に係るサイネージ装置の外観構成を示す斜視図。
【図２】同実施形態に係るサイネージ装置に装着されるスクリーンのその他の形状を例示する図。
【図３】同実施形態に係るサイネージ装置の主として電子回路の機能構成を示すブロック図。
【図４】同実施形態に係るスクリーンの識別情報であるスクリーンＩＤを例示する図。
【図５】同実施形態に係るコンテンツデータの基本フォーマットを例示する図。
【図６】同実施形態に係るＣＰＵが実行する投影動作のメインルーチンのフローチャート。
【図７】同実施形態に係る図６のスクリーン装着チェックのサブルーチンのフローチャート。
【図８】同実施形態に係る図６の再生コンテンツ抽出のサブルーチンのフローチャート。
【図９】同実施形態に係る図８の保存コンテンツチェックのサブルーチンのフローチャート。
【図１０】同実施形態に係る図６の再生モード選択のサブルーチンのフローチャート。
【図１１】同実施形態に係るタッチパネル／表示部で表示される、正しいスクリーンの装着を促すエラーメッセージを例示する図。
【図１２】同実施形態に係るタッチパネル／表示部で表示される、再生可能なコンテンツデータがないことを示すエラーメッセージを例示する図。
【図１３】同実施形態に係るコンテンツメモリの保存コンテンツデータ中から作成された再生リストの内容を例示する図。
【図１４】同実施形態に係るタッチパネル／表示部で表示される、再生モードの選択操作を促すガイドメッセージを例示する図である。
【図１５】同実施形態に係るタッチパネル／表示部で表示される、再生リストから１つのコンテンツデータの選択を促すガイドメッセージを例示する図。
【発明を実施するための形態】
【００１１】
以下、本発明を店舗に設置して商品等の宣伝を行なうサイネージ装置に適用した場合の一実施形態について、図面を参照して詳細に説明する。
【００１２】
図１は、本実施形態に係るサイネージ装置１０の外観構成を示す斜視図である。装置筐体１０Ａの上面前端側に、交換可能なスクリーンであるサイネージボードＳＢ１が装着される。このサイネージボードＳＢ１は、サイネージ装置１０の本来は矩形の投影可能領域ＰＡ内に収まるように設置された、任意形状を有する半透過板状の構成を有する。
【００１３】
このサイネージボードＳＢ１の装着基部には、このサイネージボードＳＢ１の形状を示す識別情報としてのスクリーンＩＤが記憶されたＩＣタグＩＴ１が埋設されている。このサイネージボードＳＢ１を装着した状態でＩＣタグＩＴ１と近接する位置にサイネージ装置１０側にＩＣタグ読取部ＴＲが設けられており、ＩＣタグＩＴ１に記憶された状態を非接触で読取ることが可能となる。
【００１４】
さらに装置筐体１０Ａの前面にタッチパネル／表示部ＴＤ、マイクロホン部ＭＣ、ＮＦＣ（Ｎｅａｒ  Ｆｉｅｌｄ  Ｃｏｍｍｕｎｉｃａｔｉｏｎ）タッチセンサ部ＴＳ、及び一対のスピーカ部ＳＰ，ＳＰが設けられる。
【００１５】
また上記装置筐体１０Ａの上面後端側に、ミラーＭＲが立設され、後述する投影レンズ部から出射した光像を前面側に全反射して、上記サイネージボードＳＢ１に背面側から結像させる。
【００１６】
タッチパネル／表示部ＴＤは、操作ボタンの画像を表示する表示部と、その表示部に一体となる、透明電極膜によるタッチパネルとで構成される。
【００１７】
ＮＦＣタッチセンサ部ＴＳは、例えばこのサイネージ装置１０を設置した店舗で発行される、図示しない非接触ＩＣカードを近接させることで、当該ＩＣカードに記録されている会員の個人認証情報を読み取る。
【００１８】
図２（Ａ）、図２（Ｂ）は、上記サイネージボードＳＢ１と交換してサイネージ装置１０に装着することで、サイネージ装置１０のスクリーンとなる他のサイネージボードＳＢ２，ＳＢ３を例示している。いずれのサイネージボードＳＢ２，ＳＢ３も、サイネージ装置１０への装着基部に上記ＩＣタグＩＴ１と同様のＩＣタグＩＴ２，ＩＴ３を埋設しており、当該スクリーンとしての形状がサイネージ装置１０側で認識可能となる。
【００１９】
次に図３によりサイネージ装置１０の主として電子回路の機能構成を説明する。同図中、コンテンツメモリ２１に予め記憶されたコンテンツデータが読出され、当該コンテンツデータを構成する動画データと音声データのうち、動画データがバスＢを介して投影画像処理部２２に送られる。
【００２０】
投影画像処理部２２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２３を表示駆動する。
【００２１】
このマイクロミラー素子２３は、アレイ状に配列された複数個の微小ミラーの各傾斜角度を個々に高速でオン／オフ動作して表示動作することで、その反射光により光像を形成する。
【００２２】
一方で、光源部２４から時分割でＲ，Ｇ，Ｂの原色光が循環的に出射される。光源部２４は、半導体発光素子であるＬＥＤを有し、Ｒ，Ｇ，Ｂの原色光を時分割で繰返し出射する。光源部２４が有するＬＥＤは、広義でのＬＥＤとして、ＬＤ（半導体レーザ）や有機ＥＬ素子を含むものとしても良い。
【００２３】
また、ＬＥＤから出射された光を蛍光体に照射することで励起される、元の光とは波長が異なる原色光を用いるものとしても良い。この光源部２４からの原色光が、ミラー２５で全反射して上記マイクロミラー素子２３に照射される。
【００２４】
そして、マイクロミラー素子２３での反射光で光像が形成され、形成された光像が投影レンズ部２６を介して、ここでは図示しない上記ミラーＭＲで反射された後にスクリーンである上記サイネージボードＳＢ１などに投射される。
【００２５】
また、上記コンテンツメモリ２１から読出されたコンテンツデータ中の音声データは、バスＢを介して音声処理部２７へ送信される。この音声処理部２７は、例えばＰＣＭ音源などの音源回路を有し、送られてきた音声データに基づいてアナログの音声信号を再生して、上記スピーカ部ＳＰ，ＳＰより放音させる。
【００２６】
一方で、上記マイクロホン部ＭＣからアナログの音声信号が入力された場合、上記音声処理部２７がサンプリングしてデジタル化し、音声のデータファイルを作成する。
【００２７】
上記各回路の動作すべてをＣＰＵ２８が制御する。このＣＰＵ２８は、メインメモリ２９及びプログラムメモリ３０と直接接続される。メインメモリ２９は、例えばＳＲＡＭで構成され、ＣＰＵ２８のワークメモリとして機能する。プログラムメモリ３０は、電気的書換可能な不揮発性メモリ、例えばフラッシュＲＯＭで構成され、ＣＰＵ２８が実行する動作プログラムや各種定型データ等を記憶する。
【００２８】
ＣＰＵ２８は、上記プログラムメモリ３０に記憶されている動作プログラムや定型データ等を読出し、メインメモリ２９に展開して記憶させた上で当該プログラムを実行することにより、このサイネージ装置１０を統括して制御する。
【００２９】
上記ＣＰＵ２８は、操作部３１及び上記タッチパネル／表示部ＴＤからの操作信号に応じて各種動作を実行する。操作部３１は、サイネージ装置１０の本体に備える電源キーを含む、いくつかの操作キーでのキー操作信号をＣＰＵ２８へ送出する。
【００３０】
上記タッチパネル／表示部ＴＤは、ＣＰＵ２８からの表示データに基づいたガイドメッセージや操作ボタンの表示を行ない、その表示に対してタッチ操作された位置の座標データを上記ＣＰＵ２８へ送出する。
【００３１】
また上記ＣＰＵ２８は、バスＢを介して上記ＮＦＣタッチセンサ部ＴＳ、及びＩＣタグ読取部ＴＲとも接続される。ＮＦＣタッチセンサ部ＴＳは、ＮＦＣ規格に準拠した非接触ＩＣカードの当接により当該カード内に記憶されている情報を読出して上記ＣＰＵ２８へ送出する。
【００３２】
ＩＣタグ読取部ＴＲは、スクリーンとして装着された上記サイネージボードＳＢ１等のＩＣタグＩＴ１等に記憶されている識別情報としてのスクリーンＩＤを読み取って、ＣＰＵ２８へ出力する。
【００３３】
図４は、ＩＣタグ読取部ＴＲがサイネージ装置１０に装着された上記サイネージボードＳＢ１の上記ＩＣタグＩＴ１から読取る、スクリーンの識別情報であるスクリーンＩＤを例示する図である。
【００３４】
また図５は、上記コンテンツメモリ２１に記憶されるコンテンツデータの基本フォーマットの構成を例示する図である。同図に示す如くコンテンツデータは、ヘッダ部ＨＰとデータ部ＤＰとから構成される。  
ヘッダ部ＨＰは、コンテンツデータ自体の識別情報であるコンテンツＩＤ情報と、画像投影時のスクリーン形状に対応して設定されたスクリーンＩＤ情報とを含む。  
データ部ＤＰは、上記スクリーンＩＤ情報で指定する形状のスクリーンに投影するための動画データと、上記スピーカ部ＳＰ，ＳＰより拡声させるための音声データとを含む。
【００３５】
次に上記実施形態の動作について説明する。  
なお以下に示す各動作は、サイネージ装置１０において、上述した如くＣＰＵ２８がプログラムメモリ３０から読出した動作プログラム等をメインメモリ２９に展開した上で実行する。
【００３６】
上記プログラムメモリ３０に記憶される動作プログラム等は、このサイネージ装置１０の工場出荷時にプログラムメモリ３０に記憶されていたもののみならず、このサイネージ装置１０の管理者等が図示しないパーソナルコンピュータ等の情報機器を介してサイネージ装置１０にバージョンアップ用のプログラム等をインストールした内容を含む。
【００３７】
図６は、電源投入時の直後からサイネージ装置１０で実行される、ＣＰＵ２８による投影動作のメインルーチンのフローチャートである。  
その処理当初にＣＰＵ２８は、ＩＣタグ読取部ＴＲからの出力に応じてスクリーンであるサイネージボードの装着状態をチェックする（ステップＳ１０１）。
【００３８】
図７は、上記ステップＳ１０１でスクリーンの装着状態をチェックするＣＰＵ２８の詳細な処理内容を示すサブルーチンである。まずＣＰＵ２８は、ＩＣタグ読取部ＴＲから装着されている筈のサイネージボードのスクリーンＩＤ情報を受付けた上で（ステップＳ３０１）、当該スクリーンＩＤが読み取れたか否かにより、その時点でスクリーンであるサイネージボードが装着されているか否かを判断する（ステップＳ３０２）。  
ここでスクリーンＩＤが読み取れず、サイネージボードが装着されていないと判断した場合（ステップＳ３０２のＮｏ）、ＣＰＵ２８はタッチパネル／表示部ＴＤを用いて、例えば図１１に示すようなエラーメッセージを表示した後に（ステップＳ３０４）、再び上記ステップＳ３０１からの処理に戻る。  
図１１は、このときタッチパネル／表示部ＴＤで表示される、正しいスクリーンの装着を促すエラーメッセージを例示する図である。
【００３９】
こうしてスクリーンであるサイネージボードが装着されていない状態では、上記ステップＳ３０１，Ｓ３０２，Ｓ３０４の処理を繰返し実行し、上記エラーメッセージをタッチパネル／表示部ＴＤで表示し続けることで、このサイネージ装置１０の管理者に対してスクリーンが装着されることを待機する。
【００４０】
実際にスクリーンであるサイネージボードが装着された場合、ＩＣタグ読取部ＴＲからスクリーンＩＤ情報を受付けたＣＰＵ２８は、スクリーンＩＤ情報ありと判断し（ステップＳ３０２のＹｅｓ）、ＩＣタグ読取部ＴＲから受付けたスクリーンＩＤ情報をメインメモリ２９に格納した上で（ステップＳ３０３）、以上でこの図７のサブルーチンを終了して図６のメインルーチンに戻る。
【００４１】
図６のメインルーチンでスクリーンの装着を確認したＣＰＵ２８は、次にその時点でコンテンツメモリ２１に記憶している複数のコンテンツデータから、スクリーンの形状に合致する再生可能なコンテンツデータを抽出する（ステップＳ１０２）。
【００４２】
図８は、上記ステップＳ１０２で再生可能なコンテンツデータを抽出するＣＰＵ２８の詳細な処理内容を示すサブルーチンである。まずＣＰＵ２８は、コンテンツメモリ２１に記憶、保存している全てのコンテンツデータすべてのヘッダ部ＨＰ中のスクリーンＩＤ情報と、上記格納したスクリーンＩＤ情報とを比較する（ステップＳ５０１）。
【００４３】
図９は、上記ステップＳ５０１で保存したコンテンツデータのスクリーンＩＤ情報をチェックするＣＰＵ２８のさらに詳細な処理内容を示すサブルーチンである。ＣＰＵ２８は、コンテンツメモリ２１に保存されるコンテンツデータから１つを選択し、そのコンテンツデータのヘッダ部ＨＰを読み取った上で（ステップＳ７０１）、当該ヘッダ部ＨＰ中のスクリーンＩＤ情報が上記格納したスクリーンＩＤ情報と一致するか否かを判断する（ステップＳ７０２）。
【００４４】
ここで読み取ったスクリーンＩＤ情報が上記格納したスクリーンＩＤ情報と一致したと判断した場合（ステップＳ７０２のＹｅｓ）にのみ、当該コンテンツデータを再生可能なコンテンツデータのリストに追加設定する一方で（ステップＳ７０３）、これら２つのスクリーンＩＤ情報が一致しないと判断した場合（ステップＳ７０２のＮｏ）には、当該コンテンツデータの再生可能なリストへの追加は行なわない。
【００４５】
その後、ＣＰＵ２８はコンテンツメモリ２１から次のコンテンツデータに関してヘッダ部ＨＰを読出すことが可能であり、再生可能なコンテンツデータのリストへ追加する候補となる次のコンテンツデータがあるか否かを判断する（ステップＳ７０４）。
【００４６】
ここでまだ再生可能なコンテンツデータのリストへ追加する候補となる次のコンテンツデータがあると判断した場合（ステップＳ７０４のＹｅｓ）、ＣＰＵ２８は再び上記ステップＳ７０１からの処理に戻り、同様の処理を実行する。
【００４７】
こうしてコンテンツメモリ２１に記憶、保存されているすべてのコンテンツデータに対して上記ステップＳ７０１〜Ｓ７０４の処理を繰返し実行し、その時点で装着されているスクリーンのサイネージボードに投影可能な形状の動画データを含むコンテンツデータのリストを作成する。
【００４８】
そして、コンテンツメモリ２１に記憶、保存されているすべてのコンテンツデータに対するコンテンツのチェックを終え、次のコンテンツデータがないと判断した時点で（ステップＳ７０４のＮｏ）、ＣＰＵ２８は以上でこの図９のサブルーチンを終了して図８の処理に戻る。
【００４９】
図８に戻り、再生可能なコンテンツデータのチェックを終えたＣＰＵ２８は、上記チェックの結果からリストに追加されたコンテンツデータが少なくとも１つあるか否かにより、再生可能なコンテンツデータがあるか否かを判断する（ステップＳ５０２）。
【００５０】
ここでリストに追加されたコンテンツデータがなく、再生可能なコンテンツデータがないと判断した場合（ステップＳ５０２のＮｏ）、ＣＰＵ２８はタッチパネル／表示部ＴＤを用いて、例えば図１２に示すようなエラーメッセージを一定時間、例えば５［秒］間だけ表示する（ステップＳ５０４）。
【００５１】
図１２は、このときタッチパネル／表示部ＴＤで一定時間だけ表示される、再生可能なコンテンツデータがコンテンツメモリ２１に記憶されていないことを示すエラーメッセージを例示する図である。
【００５２】
ＣＰＵ２８は上記コンテンツデータがないことをエラーメッセージとして一定時間表示した後、管理者にスクリーンの交換を促すべく、図６のメインルーチンに戻って、後述するステップＳ１１０からの処理に進み、上記図１１で示したエラーメッセージの表示状態に移行する。
【００５３】
一方、上記ステップＳ５０２でリストに追加されたコンテンツデータが少なくとも１つあり、再生可能なコンテンツデータがあると判断した場合（ステップＳ５０２のＹｅｓ）、ＣＰＵ２８は再生リストを作成し（ステップＳ５０３）、以上でこの図８のサブルーチンを終了すると共に、図６のメインルーチンに戻る。  
図１３は、コンテンツメモリ２１に記憶、保存されているコンテンツデータ中から、その時点で装着されているサイネージボードのスクリーンＩＤ情報「０１」に対応して抽出され、作成された再生リストの内容を例示するものである。
【００５４】
ここでは、コンテンツメモリ２１にコンテンツＩＤ情報「００００１」〜「００００９」の計９個のコンテンツデータ中、スクリーンＩＤ情報「０１」を持つコンテンツデータが選択されて再生リストに挙げられた例を示している。
【００５５】
図６のメインルーチンでコンテンツデータの再生リストを作成したＣＰＵ２８は、次に管理者による再生モードの選択操作を受付ける（ステップＳ１０３）。  
図１０は、上記ステップＳ１０３で再生モードの選択操作を受付けるＣＰＵ２８の詳細な処理内容を示すサブルーチンである。  
まずＣＰＵ２８は、再生可能なコンテンツデータが複数あり、それらを連続して再生するか、それともいずれか１つを選択して再生するかを管理者の選択に委ねるべく、タッチパネル／表示部ＴＤにおいてガイドメッセージを表示し、その選択操作を受付ける（ステップＳ９０１）。
【００５６】
図１４は、このときタッチパネル／表示部ＴＤで表示される、全コンテンツデータの連続再生と、１つのみコンテンツデータを選択して再生させる単一再生との選択操作を促すガイドメッセージを例示する図である。
【００５７】
この表示に対応して管理者によりタッチパネル／表示部ＴＤでいずれかがタッチ操作により選択されると、ＣＰＵ２８はその選択内容から単一再生が選択されたか否かを判断する（ステップＳ９０２）。
【００５８】
ここで単一再生が選択されたと判断した場合（ステップＳ９０２のＹｅｓ）、ＣＰＵ２８はさらに再生可能なコンテンツデータの中から１つが選択されるのを促すべく、作成した再生リストから１つのコンテンツデータを選択するようにタッチパネル／表示部ＴＤにおいて管理者に促した上で、その操作に応じて、選択されたコンテンツデータを再生候補にセットする（ステップＳ９０３）。
【００５９】
図１５は、このときタッチパネル／表示部ＴＤで表示される、再生リストから１つのコンテンツデータの選択を促すガイドメッセージを例示する図である。
【００６０】
このようなガイドメッセージに応じて管理者がタッチパネル／表示部ＴＤでコンテンツデータのいずれかをタッチ操作により選択すると、ＣＰＵ２８ではその選択を受け付けて、対応するコンテンツデータのデータ部ＤＰをコンテンツメモリ２１から読出し、動画データを投影画像処理部２２に、音声データを上記音声処理部２７に送出して再生動作に移行する。
【００６１】
また上記ステップＳ９０２において、単一再生が選択されず、全コンテンツデータの連続再生が選択されたと判断した場合（ステップＳ９０２のＮｏ）、ＣＰＵ２８は選択された再生リストを構成するすべてのコンテンツデータを再生候補としてセットする（ステップＳ９０４）。  
上記ステップＳ９０３，Ｓ９０４での再生候補のセット処理後、ＣＰＵ２８は以上でこの図１０のサブルーチンを終了すると共に、図６のメインルーチンに戻る。
【００６２】
図６において、ＣＰＵ２８は、セットされたコンテンツデータにより動画、音声を同期して再生させる（ステップＳ１０４）。  
この再生処理と同時にＣＰＵ２８は、上記ＩＣタグ読取部ＴＲの動作をチェックし（ステップＳ１０５）、スクリーンＩＤ情報を読み取ることが可能か否かにより、その時点で依然としてスクリーンであるサイネージボードが装着されているか否かを判断する（ステップＳ１０６）。
【００６３】
ここでスクリーンＩＤ情報を読み取ることが可能であり、依然としてスクリーンであるサイネージボードが装着されていると判断した場合、ＣＰＵ２８は次いで再生処理中のコンテンツデータの再生位置から、当該コンテンツの再生が終了したか否かを判断する（ステップＳ１０７）。
【００６４】
ここでまだ再生が終了していないと判断した場合（ステップＳ１０６のＮｏ）、ＣＰＵ２８は引き続き再生を続行するべく、上記ステップＳ１０４からの処理に戻る。
【００６５】
また上記ステップＳ１０７において、コンテンツの再生が終了したと判断した場合に（ステップＳ１０７のＹｅｓ）、ＣＰＵ２８はセットされたコンテンツの先頭に再生位置を戻した上で（ステップＳステップＳ１０８）、再びその先頭から再生を続行するべく、上記ステップＳ１０４からの処理に戻る。
【００６６】
さらに上記ステップＳ１０６において、コンテンツの再生途中でＩＣタグ読取部ＴＲがスクリーンＩＤ情報を読み取ることが不可能となり、スクリーンであるサイネージボードが取り外されたと判断した場合（ステップＳ１０６のＮｏ）、ＣＰＵ２８は次いで直ちに上記動画及び音声の再生を中断する（ステップＳ１０９）。
【００６７】
その上で、あらためて上記図１１で示した、正しいスクリーンの装着を促すエラーメッセージをタッチパネル／表示部ＴＤで表示させ（ステップＳ１１０）、ＩＣタグ読取部ＴＲからスクリーンＩＤ情報を読み取ることが可能か否かにより、その時点でスクリーンであるサイネージボードが装着されたか否かを判断する（ステップＳ１１１）。
【００６８】
ここでＩＣタグ読取部ＴＲからスクリーンＩＤ情報を読み取ることができず、まだスクリーンであるサイネージボードが装着されていないと判断した場合（ステップＳ１１１のＮｏ）、引き続き上記ステップＳ１１０からの処理に戻る。
【００６９】
こうしてステップＳ１１０，Ｓ１１１の処理を繰返し実行しながら、新たにスクリーンであるサイネージボードが装着されるのを待機する。
【００７０】
そして新たにスクリーンであるサイネージボードが装置され、ＩＣタグ読取部ＴＲからスクリーンＩＤ情報を読み取ることができたと判断した時点で（ステップＳ１１１のＹｅｓ）、次にその読み取ることができたスクリーンＩＤ情報が、それ以前に格納していたスクリーンＩＤ情報と等しいか否かにより、新たに装着されたサイネージボードの形状がそれ依然と変わっていないかどうかを判断する（ステップＳ１１２）。
【００７１】
ここで新たに装着されたサイネージボードの形状がそれ依然と変わっていないと判断した場合（ステップＳ１１２のＹｅｓ）、ＣＰＵ２８はその時点でセットされているコンテンツデータをそのまま用いて動画データと音声データの再生を再開した上で（ステップＳ１１３）、上記ステップＳ１０４からの処理に戻る。
【００７２】
また上記ステップＳ１１２において、読み取ることができたスクリーンＩＤ情報が、それ以前に格納していたスクリーンＩＤ情報とは異なり、新たに装着されたサイネージボードの形状がそれ依然のものとは異なると判断した場合（ステップＳ１１２のＮｏ）、ＣＰＵ２８はそレまで再生していたコンテンツデータ等に関する設定をすべて解除するものとして、読み取ることができたスクリーンＩＤ情報をあらためてメインメモリ２９に格納する（ステップＳ１１４）。
【００７３】
そして、スクリーンとなるサイネージボードに変更があったことを示すガイドメッセージをタッチパネル／表示部ＴＤで一定時間、例えば、例えば２［秒］間だけ表示させた後（ステップＳ１１５）、上記ステップＳ１０２からの処理に戻り、コンテンツメモリ２１に記憶、保存されている複数のコンテンツデータ中から、スクリーンであるサイネージボードの形状に対応したものをあらためて選択する。
【００７４】
このように、たとえ不用意にスクリーンであるサイネージボードが交換された場合でも、その装着状態に応じて投影状態をコントロールし、適時スクリーンＩＤ情報に基づいてその形状に合わせたコンテンツデータを自動的に選択して、再生させることができる。
【００７５】
以上詳述した如く本実施形態によれば、交換可能なスクリーンを用いて多くの画像コンテンツを再生させる際の管理者の負担を軽減することが可能となる。
【００７６】
また上記実施形態では、コンテンツメモリ２１が複数のスクリーンＩＤ情報に対応したコンテンツデータを記憶しており、装着されたスクリーンのＩＤ情報に基づいてコンテンツデータを選択することで、装着されているスクリーンの形状に応じた画像を確実に投影させることが可能となる。
【００７７】
さらに上記実施形態では、スクリーンであるサイネージボードが、スクリーンＩＤ情報を記憶したＩＣタグを埋設しているものとして、サイネージ装置１０への装着時にＩＣタグ読取部ＴＲにより非接触で読取り可能な構造を採るものとしたので、接触不良等の発生を抑止して商品の販売現場におけるでのスクリーンの取り扱いを簡易化できる。
【００７８】
装着されたスクリーンを識別するための手段としては、上述したようなＩＣタグとその読取り部による構成の他に、スクリーンＩＤ情報をバーコード化してその画像の読取り部により読取るもの、電気的な接触部を設けて電気回路間で情報を送受するもの、あるいは単にスクリーンの装着部に物理的な切欠き部を形成してその形状を検出するものなど、他にも多様な構成を考えることができる。
【００７９】
なお上記実施形態では説明しなかったが、コンテンツメモリ２１に記憶するコンテンツデータ中の画像データ自体は上記投影可能領域ＰＡの領域に合わせた形状を有するものとし、コンテンツメモリ２１にはさらに、スクリーンの形状に合わせて周辺部が黒領域となるようなマスクパターン画像を記憶し、装着されたスクリーンの形状に合わせて、コンテンツデータの画像をマスクパターン画像を用いて周辺部が黒画像となるように加工してから投影に供する構成を採ることも可能となる。
【００８０】
この場合、コンテンツデータの画像の周辺部はどのようなマスクパターン画像によりマスクされて黒画像化されるのか正確な把握が困難となるので、画像の内容が制限されるが、当該画像自体は複数のマスクパターン画像に対応して汎用化することができるため、コンテンツデータを記憶するメモリの容量をより有効に活用して、より多様な画像による投影環境が実現できる。
【００８１】
さらに上記実施形態では、単に装着されたサイネージボードのスクリーンＩＤ情報と合致するスクリーンＩＤ情報を有するコンテンツデータを選択する場合について説明したが、スクリーンの形状によっては、あるスクリーンの投影範囲が小さく、他のスクリーンの投影範囲内から外れないで収まるような関係をとることも考えられるので、スクリーンＩＤ情報を階層化することで、その時点で装着されたサイネージボードでは少なくとも一部に投影に使用されない領域を生じるが範囲を外れないで投影可能な画像を含むコンテンツデータは選択するような構成を採ることも考えられる。
【００８２】
なお上記実施形態は、マイクロミラー素子を用いたＤＬＰ（Ｄｉｇｉｔａｌ  Ｌｉｇｈｔ  Ｐｒｏｃｅｓｓｉｎｇ）（登録商標）方式の投影装置に適用した場合について説明したが、本発明は投影方式を限定するものではなく、例えばカラー液晶パネルを用いた投影方式に同様に適用することが可能となる。
【００８３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８４】
以下に、本願出願の当初の特許請求の範囲に記載された発明を付記する。  
請求項１記載の発明は、交換可能なスクリーンの装着を検出する検出手段と、上記検出手段で検出したスクリーンの識別情報を取得する取得手段と、上記取得手段で取得したスクリーンの識別情報に基づいた画像データを用いて上記スクリーンに画像を投影する投影手段と、を備えることを特徴とする。  
請求項２記載の発明は、上記請求項１記載の発明において、複数の画像データを記憶した記憶手段をさらに備え、上記選択手段は、上記取得手段で取得したスクリーンの識別情報に基づいて上記記憶手段から上記画像データを選択し、上記投影手段は、上記選択手段で選択した画像データを用いて上記スクリーンに画像を投影することを特徴とする。  
請求項３記載の発明は、上記請求項２記載の発明において、上記記憶手段は、複数の形状の画像データを記憶し、上記取得手段は、スクリーンの形状を示す識別情報を取得し、上記選択手段は、上記取得手段で取得したスクリーンの識別情報に基づいて上記記憶手段から画像がスクリーンの範囲を外れない画像データを選択することを特徴とする。  
請求項４記載の発明は、上記請求項２または３記載の発明において、上記スクリーンは、識別情報を記憶した記憶媒体を有し、上記検出手段は、上記スクリーンの装着に伴う上記記憶媒体の近接によりスクリーンの装着を検出し、上記取得手段は、上記スクリーンの装着に伴う上記記憶媒体の近接によりスクリーンの識別情報を上記記憶媒体から読出して取得することを特徴とする。  
請求項５記載の発明は、交換可能なスクリーンに、画像データを用いて画像を投影する装置での投影方法であって、上記スクリーンの装着を検出する検出工程と、上記検出工程で検出したスクリーンの識別情報を取得する取得工程と、上記取得工程で取得したスクリーンの識別情報に基づいた画像データを用いて上記スクリーンに画像を投影する投影工程と、を有したことを特徴とする。  
請求項６記載の発明は、交換可能なスクリーンに、画像データを用いて画像を投影する装置が内蔵したコンピュータが実行するプログラムであって、上記コンピュータを、上記スクリーンの装着を検出する検出手段、上記検出手段で検出したスクリーンの識別情報を取得する取得手段、及び上記取得手段で取得したスクリーンの識別情報に基づいた画像データを用いて上記スクリーンに画像を投影する投影手段、として機能させることを特徴とする。
【符号の説明】
【００８５】
１０…サイネージ装置、
１０Ａ…装置筐体、
２１…コンテンツメモリ、
２２…投影画像処理部、
２３…マイクロミラー素子、
２４…光源部、
２５…ミラー、
２６…投影レンズ部、
２７…音声処理部、
２８…ＣＰＵ、
２９…メインメモリ、
３０…プログラムメモリ、
３１…操作部、
Ｂ…バス、
ＤＰ…データ部、
ＨＰ…ヘッダ部、
ＩＴ１〜ＩＴ３…ＩＣタグ、
ＭＣ…マイクロホン部、
ＭＲ…ミラー、
ＰＡ…投影可能領域、
ＳＢ１〜ＳＢ３…サイネージボード（スクリーン）、
ＳＰ…スピーカ部、
ＴＤ…タッチパネル／表示部、
ＴＲ…ＩＣタグ読取部、
ＴＳ…ＮＦＣタッチセンサ部。
【図１】
2016061917.tif 000003
【図２】
2016061917.tif 000004
【図３】
2016061917.tif 000005
【図４】
2016061917.tif 000006
【図５】
2016061917.tif 000007
【図６】
2016061917.tif 000008
【図７】
2016061917.tif 000009
【図８】
2016061917.tif 000010
【図９】
2016061917.tif 000011
【図１０】
2016061917.tif 000012
【図１１】
2016061917.tif 000013
【図１２】
2016061917.tif 000014
【図１３】
2016061917.tif 000015
【図１４】
2016061917.tif 000016
【図１５】
2016061917.tif 000017